(57)【特許請求の範囲】
【請求項１】
裏面を有する液晶モジュールと、
前記裏面に対向する対向面を有し、当該対向面の部分である３つの対向部分において前記液晶モジュールの前記裏面と固定されるシャーシと、
前記液晶モジュールの前記裏面と前記シャーシの前記対向面との間に設置され、前記裏面と固定される補強部材と、を備え、
前記液晶モジュールの前記裏面の第１の角部は、前記３つの対向部分のうち、前記第１の角部に対向する第１の対向部分に固定され、
前記液晶モジュールの前記裏面における、前記第１の角部と隣り合う第２の角部は、前記３つの対向部分のうち、前記第２の角部に対向する第２の対向部分に固定され、
前記第１の角部と隣り合う第３の角部、又は前記第３の角部と隣り合う第４の角部の何れか一方は、前記補強部材に固定され、
前記第３の角部又は前記第４の角部の他方は、前記シャーシの前記対向面又は前記補強部材の何れか一方に固定されていることを特徴とする、液晶モジュール固定構造。
【請求項２】
前記液晶モジュールの裏面は、前記液晶モジュールの裏面、又は前記シャーシの前記対向面の何れか一方から突出した突出部を介して、前記シャーシの前記対向面と固定され、
前記液晶モジュールの裏面は、前記液晶モジュールの裏面、又は前記補強部材における前記裏面に対向する面の何れか一方から突出した突出部を介して、前記補強部材と固定されていることを特徴とする、請求項１に記載の液晶モジュール固定構造。
【請求項３】
前記液晶モジュールの前記裏面における、前記第３の角部と前記第４の角部との間の第１の中間部分は、前記３つの対向部分のうち、前記第１の中間部分に対向する第３の対向部分に固定され、
前記第３の角部及び前記第４の角部は、前記補強部材に固定されていることを特徴とする、請求項１に記載の液晶モジュール固定構造。
【請求項４】
前記補強部材は、第１の棒状部分と、一方の端部が当該第１の棒状部分の一方の端部と接続した第２の棒状部分と、一方の端部が当該第２の棒状部分の他方の端部と接続し、他方の端部が当該第１の棒状部分の他方の端部と接続した第３の棒状部分と、を有し、
前記第３の角部は、前記第１の棒状部分と前記第２の棒状部分との接続部分である第１の接続部に固定され、
前記第４の角部は、前記第２の棒状部分と前記第３の棒状部分との接続部分である第２の接続部に固定されていることを特徴とする、請求項１に記載の液晶モジュール固定構造。
【請求項５】
前記液晶モジュールの前記裏面における、前記第１の角部と前記第２の角部との間の第２の中間部分は、前記第１の棒状部分と前記第３の棒状部分との接続部分である第３の接続部に固定されていることを特徴とする、請求項４に記載の液晶モジュール固定構造。
【請求項６】
前記液晶モジュールの前記裏面は、前記３つの対向部分のうち第３の対向部分と、前記補強部材における、前記第１の棒状部分と前記第３の棒状部分との接続部分である第３の接続部と、に固定され、
前記第１の対向部分と前記第２の対向部分と前記第３の対向部分とを結んだ第１の三角形領域と、前記第１の接続部と前記第２の接続部と前記第３の接続部とを結んだ第２の三角形領域とは、前記液晶モジュールの前記裏面に垂直な方向からみて部分的に重なることを特徴とする、請求項４に記載の液晶モジュール固定構造。
【請求項７】
前記液晶モジュールの前記裏面は、前記３つの対向部分のうち第３の対向部分と、前記補強部材における、前記第１の棒状部分と前記第３の棒状部分との接続部分である第３の接続部と、に固定され、
前記第１の対向部分と前記第２の対向部分と前記第３の対向部分とを結んだ第１の三角形領域と、前記第１の接続部と前記第２の接続部と前記第３の接続部とを結んだ第２の三角形領域とは、形状が互いに同一であり、且つ、前記液晶モジュールの前記裏面に垂直な方向からみて向きが互いに１８０度異なることを特徴とする、請求項４に記載の液晶モジュール固定構造。
【請求項８】
前記補強部材は、全体形状が棒状であり、
前記第３の角部は、前記補強部材の一方の端部に固定され、
前記第４の角部は、前記補強部材の他方の端部に固定されていることを特徴とする、請求項１に記載の液晶モジュール固定構造。
【請求項９】
前記補強部材は、全体形状が棒状であり、
前記第３の角部又は前記第４の角部の何れか一方は、前記補強部材の一方の端部に固定され、
前記第３の角部又は前記第４の角部の他方は、前記３つの対向部分のうち、当該他方の角部に対向する第３の対向部分に固定されていることを特徴とする、請求項１に記載の液晶モジュール固定構造。
【請求項１０】
前記第１の対向部分と前記第２の対向部分と前記第３の対向部分とを結んだ三角形領域と、前記補強部材の一方の端部と他方の端部とを結ぶ直線とは、前記液晶モジュールの前記裏面に垂直な方向からみて部分的に重なることを特徴とする、請求項９に記載の液晶モジュール固定構造。
【請求項１１】
請求項１から請求項１０の何れか１項に記載の液晶モジュール固定構造を備えていることを特徴とする、表示装置。
【発明の詳細な説明】
【技術分野】
【０００１】
本発明は、液晶モジュール固定構造に関する。
【背景技術】
【０００２】
従来、液晶パネル及びバックライトを含む液晶モジュールをシャーシに固定する際に、液晶モジュールの裏面における４つの角部をネジ等によりそれぞれ固定していた。しかし、当該４つの角部とシャーシとが固定される点である４つの固定点のうち１つの固定点が、他の３つの固定点と同一平面上に位置しない場合、液晶モジュールが歪み、表示ムラが発生するという問題がある。【０００３】
一方、特許文献１に記載の液晶装置では、液晶パネルを支持する枠体内に、それぞれ液晶パネルの裏面に頂部が当接する３つの半球状突起が設置されている。当該３つの半球状突起は、それぞれ、頂部が、液晶パネルの裏面における、辺部を介して隣り合う２つの角部と、当該２つの角部以外の２つの角部の間の中央部分とに当接し、液晶パネルの裏面を３点で支持している。３点の支持点は、１つの面のみを規定するため、液晶パネルに歪みが生じづらいという利点がある。
【先行技術文献】
【特許文献】
【０００４】
【特許文献１】特開平９−７３０７１号公報
【発明の概要】
【発明が解決しようとする課題】
【０００５】
特許文献１に記載の液晶装置では、液晶パネルの裏面における４つの角部のうち２つの角部のみが半球状突起によって支持されている。そのため、残りの２つの角部のうちいずれかが押下された場合、又は、当該残りの２つの角部のうちいずれかに振動が伝わった場合、液晶モジュールが歪みやすく、表示ムラが発生する可能性、又は液晶モジュールが歪みにより破壊される可能性があるという問題がある。【０００６】
この発明は、上記のような問題点を解決するためになされたものであり、押下又は振動による液晶モジュールの歪みを抑制する技術を提供することを目的とする。
【課題を解決するための手段】
【０００７】
この発明に係る液晶モジュール固定構造は、裏面を有する液晶モジュールと、裏面に対向する対向面を有し、当該対向面の部分である３つの対向部分において液晶モジュールの裏面と固定される シャーシと、液晶モジュールの裏面とシャーシの対向面との間に設置され、裏面と固定される補強部材と、を備え、液晶モジュールの裏面の第１の角部は、３つの対向部分のうち、第１の角部に対向する第１の対向部分に固定され、液晶モジュールの裏面における、第１の角部と隣り合う第２の角部は、３つの対向部分のうち、第２の角部に対向する第２の対向部分に固定され、第１の角部と隣り合う第３の角部、又は第３の角部と隣り合う第４の角部の何れか一方は、補強部材に固定され、第３の角部又は第４の角部の他方は、シャーシの対向面又は補強部材の何れか一方に固定されている。
【発明の効果】
【０００８】
この発明によれば、押下又は振動による液晶モジュールの歪みを抑制することができる。
【図面の簡単な説明】
【０００９】
【図１】実施の形態１に係る液晶モジュール固定構造の構成を示す斜視図である。
【図２】実施の形態１に係る液晶モジュール固定構造の構成を示す分解図である。
【図３】シャーシ固定点の配置及び補強固定点の配置の関係を説明するための図である。
【図４】実施の形態１の第１の変形例に係るシャーシの構成を示す斜視図である。
【図５】実施の形態１の第２の変形例に係る補強部材の構成を示す斜視図である。
【図６】実施の形態２に係る液晶モジュール固定構造の構成を示す平面図である。
【図７】実施の形態３に係る液晶モジュール固定構造の構成を示す平面図である。
【発明を実施するための形態】
【００１０】
以下、この発明をより詳細に説明するため、この発明を実施するための形態について、添付の図面に従って説明する。
実施の形態１．
図１は、実施の形態１に係る液晶モジュール固定構造１００の構成を示す斜視図である。図２は、実施の形態１に係る液晶モジュール固定構造１００の構成を示す分解図である。なお、図１及び図２における座標軸ＸＣは、液晶モジュール固定構造１００の表面及び裏面に対して垂直な方向を示し、また、当該表面側を正の座標とし、当該裏面側を負の座標としている。座標軸ＹＣは、液晶モジュール固定構造１００の表面及び裏面の各長辺に対して平行な方向を示している。座標軸ＺＣは、液晶モジュール固定構造１００の表面及び裏面の各短辺に対して平行な方向を示している。
【００１１】
図１及び図２が示すように、液晶モジュール固定構造１００は、液晶モジュール１と、シャーシ２と、補強部材３とを備えている。液晶モジュール１は、裏面１ａを有する。シャーシ２は、液晶モジュール１の裏面１ａに対向する対向面２ａを有する。補強部材３は、液晶モジュール１の裏面１ａとシャーシ２の対向面２ａとの間に設置される。なお、図１及び図２が示す液晶モジュール１の裏面１ａは、短辺と長辺とを有する矩形の形状を有しているが、正方形の形状を有していてもよい。また、「液晶モジュール固定構造１００」及び「液晶モジュール１」における「液晶モジュール」という用語は、液晶パネル及びバックライトの両方を少なくとも含むモジュールを意味する。
【００１２】
シャーシ２は、対向面２ａの部分である３つの対向部分において液晶モジュール１の裏面１ａと固定される。すなわち、液晶モジュール１とシャーシ２とは、３点において互いに固定される。以下、液晶モジュール１とシャーシ２とが固定される上記３点のそれぞれをシャーシ固定点という。シャーシ固定点が３つである場合、３つのシャーシ固定点は、１つの平面上に位置することとなるため、液晶モジュール１に歪みが生じづらいという効果を奏する。なお、本明細書において、「３点」という用語、「シャーシ固定点」及び後述の「補強固定点」という用語における「点」は、実質的に、液晶モジュール１に歪みが生じづらいという上記の効果を奏する範囲において、微小な面積を有する領域を含むものとする。シャーシ固定点の面積が小さいほど、つまり、液晶モジュール１とシャーシ２とが３つのシャーシ固定点において互いに接触する面積が小さいほど、両者間の固定は理想的な３点での固定となり、液晶モジュール１に歪みが生じづらいという効果が向上する。
【００１３】
実施の形態１において、より具体的には、液晶モジュール１は、それぞれ裏面１ａから突出した３つの突出部４を備えている。シャーシ２は、３つの対向部分のそれぞれにおいて、液晶モジュール１の裏面１ａと各突出部４を介してネジ５により固定される。シャーシ２と液晶モジュール１とが突出部４を介して固定されることにより、シャーシ固定点における接触面積を小さくすることができる。
【００１４】
なお、実施の形態１では、シャーシ２と液晶モジュール１とを突出部４を介してネジ５により固定する構成を説明するが、シャーシ２と液晶モジュール１とは、突出部４を介さずにネジ５により固定されてもよい。また、シャーシ２と液晶モジュール１とを固定する部材は、ネジ５以外の部材であってもよい。そのような部材は、例えば、接着剤、両面テープ、又は、スナップフィットによって互いに固定される爪部及び爪受部である。
【００１５】
液晶モジュール１の裏面１ａにおける第１の角部１ｂは、３つの対向部分のうち、第１の角部１ｂに対向する第１の対向部分に固定されている。また、液晶モジュール１の裏面１ａにおける、第１の角部１ｂと隣り合う第２の角部１ｄは、３つの対向部分のうち、第２の角部１ｄに対向する第２の対向部分に固定されている。なお、図２に示された液晶モジュール１においては、第２の角部１ｄは、第１の辺部１ｃを介して第１の角部１ｂと隣り合う角部である。
【００１６】
また、液晶モジュール１の裏面１ａは、３つの対向部分のうち、第３の対向部分に固定されている。実施の形態１において、より詳細には、液晶モジュール１の裏面１ａにおける、第１の角部１ｂと隣り合う第３の角部１ｆと、第３の角部１ｆと隣り合う第４の角部１ｈとの間の第１の中間部分１ｉが、３つの対向部分のうち、第１の中間部分１ｉに対向する第３の対向部分に固定されている。なお、図２に示された液晶モジュール１においては、第３の角部１ｆは、第２の辺部１ｅを介して第１の角部１ｂと隣り合う角部であり、また、第４の角部１ｈは、第３の辺部１ｇを介して第３の角部１ｆと隣り合う角部である。
【００１７】
なお、上記の第１の角部１ｂ、第２の角部１ｄ、第３の角部１ｆ及び第４の角部１ｈにおける「角部」という用語は、例えば、液晶モジュール１の裏面１ａを、当該裏面１ａの短辺に略平行な直線で略３等分し、且つ、当該裏面１ａの長辺に略平行な直線で略３等分することで、当該裏面１ａ全体を略９等分してできる９つの部分のうちの、裏面１ａの角に位置する部分辺りを意味する。また、その場合、第１の辺部１ｃ、第２の辺部１ｅ及び第３の辺部１ｇにおける「辺部」は、当該９つの部分のうちの、４つの角部及び真ん中の部分以外の部分辺りを意味する。また、第１の中間部分１ｉ及び後述する第２の中間部分１ｊにおける「中間部分」という用語は、「辺部」における、裏面１ａの長辺に略平行な方向の中間辺りの部分を意味する。
【００１８】
また、図２に示された液晶モジュール１では、液晶モジュール１の裏面１ａの左下の部分が第１の角部１ｂであり、右下の部分が第２の角部１ｄであり、左上の部分が第３の角部１ｆであり、右上の部分が第４の角部１ｈである。しかし、第１の角部１ｂは、液晶モジュール１の裏面１ａの左下の部分、右下の部分、左上の部分又は右上の部分のいずれであってもよい。そして、第２の角部１ｄ及び第３の角部１ｆのそれぞれは、第１の角部１ｂの位置に応じた、当該第１の角部１ｂと互いに隣り合う関係となる部分であればよい。言い換えれば、第１の角部１ｂと隣り合う２つの角部のうち、いずれか一方が第２の角部１ｄであり、他方が第３の角部１ｆであればよい。
【００１９】
補強部材３は、液晶モジュール１の裏面１ａ裏面と固定される。補強部材３は、例えば金属製又は樹脂製であり、液晶モジュール１の裏面１ａを補強することにより、押下又は振動による液晶モジュール１の歪みを抑制する。
【００２０】
実施の形態１において、液晶モジュール１と補強部材３とは、例えば、３点において互いに固定される。以下、液晶モジュール１とシャーシ２とが固定される点を補強固定点という。補強固定点が３つである場合、３つの補強固定点は、１つの平面上に位置することとなるため、液晶モジュール１に歪みが生じづらいという効果を奏する。補強固定点の面積が小さいほど、つまり、液晶モジュール１と補強部材３とが３つの補強固定点において互いに接触する面積が小さいほど、両者間の固定は理想的な３点での固定となり、液晶モジュール１に歪みが生じづらいという効果が向上する。
【００２１】
実施の形態１において、より具体的には、液晶モジュール１は、それぞれ裏面１ａから突出した３つの突出部６を備えている。補強部材３は、３つの補強固定点のそれぞれにおいて、液晶モジュール１の裏面１ａと各突出部６を介してネジ７により固定されている。補強部材３と液晶モジュール１とが突出部６を介して固定されることにより、補強部材３と液晶モジュール１との接触面積を小さくすることができる。
【００２２】
なお、実施の形態１では、補強部材３と液晶モジュール１とを突出部６を介してネジ７により固定する構成を説明するが、補強部材３と液晶モジュール１とは、突出部６を介さずにネジ７により固定されてもよい。また、補強部材３と液晶モジュール１とを固定する部材は、ネジ７以外の部材であってもよい。そのような部材は、例えば、接着剤、両面テープ、又は、スナップフィットによって互いに固定される爪部及び爪受部等である。
【００２３】
補強部材３の構造について、より詳細には、補強部材３は、第１の棒状部分３ａと、一方の端部が当該第１の棒状部分３ａの一方の端部と接続した第２の棒状部分３ｂと、一方の端部が当該第２の棒状部分３ｂの他方の端部と接続し、他方の端部が当該第１の棒状部分３ａの他方の端部と接続した第３の棒状部分３ｃと、を有する。
【００２４】
液晶モジュール１の裏面１ａにおける第３の角部１ｆは、補強部材３における、第１の棒状部分３ａと第２の棒状部分３ｂとの接続部分である第１の接続部３ｄに固定されている。また、液晶モジュール１の裏面１ａにおける第４の角部１ｈは、補強部材３における、第２の棒状部分３ｂと第３の棒状部分３ｃとの接続部分である第２の接続部３ｅに固定されている。つまり、補強部材３は、液晶モジュール１の裏面１ａにおける、シャーシ２が固定されていない第３の角部１ｆ及び第４の角部１ｈに固定される。補強部材３が、第３の角部１ｆ及び第４の角部１ｈに固定されることで、第３の角部１ｆ付近又は第４の角部１ｈ付近が押下又は振動されたことによる、液晶モジュール１の歪みを抑制することができる。
【００２５】
また、液晶モジュール１の裏面１ａは、補強部材３における、第１の棒状部分３ａと第３の棒状部分３ｃとの接続部分である第３の接続部３ｆに固定されている。実施の形態１において、より具体的には、液晶モジュール１の裏面１ａにおける、第１の角部１ｂと第２の角部１ｄとの間の第２の中間部分１ｊが、補強部材３における第３の接続部３ｆに固定されている。
【００２６】
次に、シャーシ固定点の配置及び補強固定点の配置の関係について図面を参照して説明する。図３は、シャーシ固定点の配置及び補強固定点の配置の関係を説明するための図である。
図３において、シャーシ２の対向面２ａにおける第１の対向部分と第２の対向部分と第３の対向部分とを結んだ三角形領域を第１の三角形領域Ｄとする。実施の形態１において、より具体的には、第１の角部１ｂと第１の対向部分とのシャーシ固定点であるシャーシ固定点Ａ、第２の角部１ｄと第２の対向部分とのシャーシ固定点であるシャーシ固定点Ｂ、及び第１の中間部分１ｉと第３の対向部分とのシャーシ固定点であるシャーシ固定点Ｃを結んだ三角形領域を第１の三角形領域Ｄとする。
【００２７】
また、図３において、補強部材３における第１の接続部３ｄと第２の接続部３ｅと第３の接続部３ｆとを結んだ三角形領域を第２の三角形領域Ｈとする。実施の形態１において、より具体的には、第３の角部１ｆと第１の接続部３ｄとの補強固定点である補強固定点Ｅ、第４の角部１ｈと第２の接続部３ｅとの補強固定点である補強固定点Ｆ、及び第２の中間部分１ｊと第３の接続部３ｆとの補強固定点である補強固定点Ｇを結んだ三角形領域を第２の三角形領域Ｈとする。
【００２８】
図３が示すように、第１の三角形領域Ｄと第２の三角形領域Ｈとは、液晶モジュール１の裏面１ａに垂直な方向からみて部分的に重なる。これにより、第１の三角形領域Ｄと第２の三角形領域Ｈとが重なった部分が補強されるため、押下又は振動による液晶モジュール１の歪みを抑制することができる。
【００２９】
なお、上記では、シャーシ固定点Ｃが第１の中間部分１ｉと第３の対向部分とのシャーシ固定点であり、補強固定点Ｇが第２の中間部分１ｊと第３の接続部３ｆとの補強固定点である構成であり、且つ、第１の三角形領域Ｄと第２の三角形領域Ｈとが液晶モジュール１の裏面１ａに垂直な方向からみて部分的に重なる構成を説明した。しかし、第１の三角形領域Ｄと第２の三角形領域Ｈとが部分的に重なる構成は上記の構成に限定されない。すなわち、シャーシ固定点Ｃの位置と、補強固定点Ｇの位置は、第１の三角形領域Ｄと第２の三角形領域Ｈとが部分的に重なる範囲において、任意の位置に設定されてよい。その場合、補強部材３は、補強固定点Ｇの位置に応じた形状を有しているものとする。
【００３０】
また、図３が示すように、第１の三角形領域Ｄと第２の三角形領域Ｈとは、形状が互いに同一であり、且つ、液晶モジュール１の裏面１ａに垂直な方向からみて、向きが互いに１８０度異なる。なお、本明細書において、「同一」とは、同一、又は略同一を意味する。
【００３１】
より詳細には、シャーシ固定点Ａ及びシャーシ固定点Ｃを結んだ辺と、補強固定点Ｆ及び補強固定点Ｇを結んだ辺とは、長さが同一であり、且つ、平行である。また、シャーシ固定点Ｂ及びシャーシ固定点Ｃを結んだ辺と、補強固定点Ｅ及び補強固定点Ｇを結んだ辺とは、長さが同一であり、且つ、平行である。また、シャーシ固定点Ａ及びシャーシ固定点Ｂを結んだ辺と、補強固定点Ｅ及び補強固定点Ｆを結んだ辺とは、長さが同一であり、且つ、平行である。
【００３２】
第１の三角形領域Ｄと第２の三角形領域Ｈとを、形状が互いに同一であり、且つ、液晶モジュール１の裏面１ａに垂直な方向からみて、向きが互いに１８０度異なるものとすることにより、シャーシ２及び補強部材３に対して液晶モジュール１の裏面１ａが全体的に均等に固定されるため、押下又は振動による液晶モジュール１の歪みを抑制することができる。
【００３３】
次に、実施の形態１に係る液晶モジュール固定構造１００の第１の変形例について図面を参照して説明する。図４は、実施の形態１の第１の変形例に係るシャーシ１０の構成を示す斜視図である。図４が示すように、シャーシ１０は、それぞれ対向面１０ａから突出する３つの突出部１１を備えている。
【００３４】
上述の説明では、液晶モジュール１が、裏面１ａから突出する突出部４を介してネジ５によりシャーシ２の対向面２ａに固定される構成を説明した。実施の形態１の第１の変形例では、液晶モジュール１は、突出部４を備えておらず、シャーシ１０の対向面１０ａから突出する突出部１１を介してネジ５によりシャーシ１０の対向面１０ａに固定される。このような構成でも、液晶モジュール１が突出部４を備えている構成と同様に、シャーシ固定点における液晶モジュール１とシャーシ１０との接触面積を小さくすることができる。
【００３５】
次に、実施の形態１に係る液晶モジュール固定構造１００の第２の変形例について図面を参照して説明する。図５は、実施の形態１の第２の変形例に係る補強部材１２の構成を示す斜視図である。図５が示すように、補強部材１２は、それぞれ、一方の面から突出する３つの突出部１３を備えている。なお、当該一方の面は、液晶モジュール１の裏面１ａに対向する面である。
【００３６】
上述の説明では、液晶モジュール１が、裏面１ａから突出する突出部６を介してネジ７により補強部材３に固定される構成を説明した。実施の形態１の第２の変形例では、液晶モジュール１は、突出部６を備えておらず、補強部材１２の一方の面から突出する突出部１３を介してネジ５により補強部材１２に固定される。このような構成でも、液晶モジュール１が突出部６を備えている構成と同様に、補強固定点における液晶モジュール１と補強部材１２との接触面積を小さくすることができる。
【００３７】
なお、実施の形態１では、液晶モジュール１の裏面１ａにおける第３の角部１ｆが第１の接続部３ｄに固定され、第４の角部１ｈが第２の接続部３ｅに固定され、第１の中間部分１ｉが第２の対向部分に固定されている構成について説明した。しかし、第３の角部１ｆが第１の接続部３ｄに固定されて第１の中間部分１ｉが第２の対向部分に固定される構成に変えて、第４の角部１ｈは上記と同様に第２の接続部３ｅに固定されるものとしつつ、第３の角部１ｆが第２の対向部分に固定される構成としてもよい。また、第４の角部１ｈが第２の接続部３ｅに固定されて第１の中間部分１ｉが第２の対向部分に固定される構成に変えて、第３の角部１ｆは上記と同様に第１の接続部３ｄに固定されるものとしつつ、第４の角部１ｈが第２の対向部分に固定される構成としてもよい。なお、これらの場合、補強部材３の形状が図２及び図３に示す三角形の形状とは異なる。詳細については、後述する実施の形態３で説明する。
【００３８】
つまり、第３の角部１ｆ又は第４の角部１ｈの何れか一方は、補強部材３に固定され、第３の角部１ｆ又は第４の角部１ｈの他方は、シャーシ２の対向面２ａ、又は補強部材３の何れか一方に固定されていればよい。
【００３９】
以上で説明した実施の形態１に係る液晶モジュール固定構造１００は、例えば、タッチパネルディスプレイ等の表示装置に適用される。これにより、表示装置において、液晶モジュール固定構造１００が奏する上述の各効果を奏することができる。
【００４０】
以上のように、実施の形態１に係る液晶モジュール固定構造１００は、裏面１ａを有する液晶モジュール１と、裏面１ａに対向する対向面２ａを有し、当該対向面２ａの部分である３つの対向部分において液晶モジュール１の裏面１ａと固定されるシャーシ２と、液晶モジュール１の裏面１ａとシャーシ２の対向面２ａとの間に設置され、裏面１ａと固定される補強部材３と、を備え、液晶モジュール１の裏面１ａの第１の角部１ｂは、３つの対向部分のうち、第１の角部１ｂに対向する第１の対向部分に固定され、液晶モジュール１の裏面１ａにおける、第１の角部１ｂと隣り合う第２の角部１ｄは、３つの対向部分のうち、第２の角部１ｄに対向する第２の対向部分に固定され、第１の角部１ｂと隣り合う第３の角部１ｆ、又は第３の角部１ｆと隣り合う第４の角部１ｈの何れか一方は、補強部材３に固定され、第３の角部１ｆ又は第４の角部１ｈの他方は、シャーシ２の対向面２ａ又は補強部材３の何れか一方に固定されている。
【００４１】
上記の構成において、補強部材３は、液晶モジュール１の裏面１ａにおける、シャーシ２により固定されていない第３の角部１ｆ又は第４の角部１ｈの少なくとも一方の角部に固定される。これにより、実施の形態１に係る液晶モジュール固定構造１００は、シャーシ２に固定されていない角部において、押下又は振動による液晶パネルの歪みを抑制することができる。
【００４２】
また、実施の形態１に係る液晶モジュール固定構造１００においては、液晶モジュール１の裏面１ａが、液晶モジュール１の裏面１ａ、又はシャーシ２の対向面２ａの何れか一方から突出した突出部４を介して、シャーシ２の対向面２ａと固定され、液晶モジュール１の裏面１ａが、液晶モジュール１の裏面１ａ、又は補強部材３における裏面１ａに対向する面の何れか一方から突出した突出部４を介して、補強部材３と固定されている。
【００４３】
上記の構成によれば、シャーシ２と液晶モジュール１との接触面積と、補強部材３と液晶モジュール１との接触面積とをそれぞれ小さくことができる。これにより、実施の形態１に係る液晶モジュール固定構造１００は、液晶モジュール１に歪みが生じづらいという効果を奏する。
【００４４】
また、実施の形態１に係る液晶モジュール固定構造１００において、液晶モジュール１の裏面１ａにおける第３の角部１ｆと第４の角部１ｈとの間の第１の中間部分１ｉは、３つの対向部分のうち、第１の中間部分１ｉに対向する第３の対向部分に固定されている。
【００４５】
上記の構成によれば、液晶モジュール１の裏面１ａにおける第１の角部１ｂ、第２の角部１ｄ、及び第１の中間部分１ｉがそれぞれシャーシ２に固定されることにより、シャーシ２に対して液晶モジュール１の裏面１ａが第３の角部１ｆと第４の角部１ｈとの間で均等に固定される。これにより、押下又は振動による液晶モジュール１の歪みを抑制することができる。
【００４６】
また、実施の形態１に係る液晶モジュール固定構造１００においては、補強部材３が、第１の棒状部分３ａと、一方の端部が当該第１の棒状部分３ａの一方の端部と接続した第２の棒状部分３ｂと、一方の端部が当該第２の棒状部分３ｂの他方の端部と接続し、他方の端部が当該第１の棒状部分３ａの他方の端部と接続した第３の棒状部分３ｃと、を有し、第３の角部１ｆは、第１の棒状部分３ａと第２の棒状部分３ｂとの接続部分である第１の接続部３ｄに固定され、第４の角部１ｈは、第２の棒状部分３ｂと第３の棒状部分３ｃとの接続部分である第２の接続部３ｅに固定されている。
【００４７】
上記の構成においては、液晶モジュール１の裏面１ａにおける第３の角部１ｆ及び第４の角部１ｈがそれぞれ補強部材３に固定される。これにより、実施の形態１に係る液晶モジュール固定構造１００は、シャーシ２に固定されていない第３の角部１ｆ及び第４の角部１ｈにおいて、押下又は振動による液晶モジュール１の歪みを抑制することができる。
【００４８】
また、実施の形態１に係る液晶モジュール固定構造１００において、液晶モジュール１の裏面１ａにおける、第１の角部１ｂと第２の角部１ｄとの間の第２の中間部分１ｊは、第１の棒状部分３ａと第３の棒状部分３ｃとの接続部分である第３の接続部３ｆに固定されている。
【００４９】
上記の構成においては、液晶モジュール１の裏面１ａにおける第３の角部１ｆ、第４の角部１ｈ、及び第２の中間部分１ｊがそれぞれ補強部材３に固定されることにより、補強部材３に対して液晶モジュール１の裏面１ａが第１の角部１ｂと第２の角部１ｄとの間で均等に固定される。これにより、押下又は振動による液晶モジュール１の歪みを抑制することができる。
【００５０】
また、実施の形態１に係る液晶モジュール固定構造１００においては、液晶モジュール１の裏面１ａが、３つの対向部分のうち、第３の対向部分と、補強部材３における、第１の棒状部分３ａと第３の棒状部分３ｃとの接続部分である第３の接続部３ｆと、に固定され、第１の対向部分と第２の対向部分と第３の対向部分とを結んだ第１の三角形領域Ｄと、第１の接続部３ｄと第２の接続部３ｅと第３の接続部３ｆとを結んだ第２の三角形領域Ｈとは、液晶モジュール１の裏面１ａに垂直な方向からみて部分的に重なる。
【００５１】
上記の構成によれば、第１の三角形領域Ｄと第２の三角形領域Ｈとが重なった部分が補強されるため、押下又は振動による液晶モジュール１の歪みを抑制することができる。
【００５２】
また、実施の形態１に係る液晶モジュール固定構造１００において、液晶モジュール１の裏面１ａは、３つの対向部分のうち第３の対向部分と、補強部材３における、第１の棒状部分３ａと第３の棒状部分３ｃとの接続部分である第３の接続部３ｆと、に固定され、第１の対向部分と第２の対向部分と第３の対向部分とを結んだ第１の三角形領域Ｄと、第１の接続部３ｄと第２の接続部３ｅと第３の接続部３ｆとを結んだ第２の三角形領域Ｈとは、形状が互いに同一であり、且つ、液晶モジュール１の裏面１ａに垂直な方向からみて向きが互いに１８０度異なる。
【００５３】
上記の構成によれば、シャーシ２及び補強部材３に対して液晶モジュール１の裏面１ａが全体的に均等に固定されるため、押下又は振動による液晶モジュール１の歪みを抑制することができる。
【００５４】
実施の形態２．
実施の形態１では、補強部材３が第１の棒状部分３ａ、第２の棒状部分３ｂ及び第３の棒状部分３ｃを有する構成について説明した。実施の形態２では、液晶モジュール固定構造が、全体形状が棒状の補強部材を備える構成について説明する。
以下で、実施の形態２について図面を参照して説明する。なお、実施の形態１で説明した構成と同様の機能を有する構成については同一の符号を付し、その説明を省略する。
【００５５】
図６は、実施の形態２に係る液晶モジュール固定構造１０１の構成を示す平面図である。なお、図６では、説明のため、シャーシ２を除いた液晶モジュール固定構造１０１を示す。図６が示すように、液晶モジュール固定構造１０１は、液晶モジュール１の裏面１ａとシャーシ２の対向面２ａとの間に設置される補強部材２０を備えている。
【００５６】
補強部材２０は、全体形状が棒状であり、液晶モジュール１の裏面１ａにおける第３の角部１ｆは、補強部材２０の一方の端部に固定され、液晶モジュール１の裏面１ａにおける第４の角部１ｈは、補強部材２０の他方の端部に固定されている。
【００５７】
以上のように、実施の形態２に係る液晶モジュール固定構造１０１の補強部材２０は、全体形状が棒状であり、第３の角部１ｆは、補強部材２０の一方の端部に固定され、第４の角部１ｈは、補強部材２０の他方の端部に固定されている。
【００５８】
上記の構成においては、液晶モジュール１の裏面１ａにおける第３の角部１ｆ及び第４の角部１ｈがそれぞれ補強部材２０に固定される。これにより、実施の形態２に係る液晶モジュール固定構造１０１は、シャーシ２によって固定されていない第３の角部１ｆ及び第４の角部１ｈにおいて、押下又は振動による液晶モジュール１の歪みを抑制することができる。また、補強部材３と比較して、補強部材２０は単純な構造のため、コストを削減することができる。
【００５９】
実施の形態３．
実施の形態２では、全体形状が棒状の補強部材２０が、液晶モジュール１の裏面１ａにおける第３の角部１ｆと第４の角部１ｈとに固定される構成について説明した。実施の形態３では、液晶モジュール固定構造が、全体形状が棒状の補強部材を備えるとともに、シャーシ２が液晶モジュール１の裏面１ａにおける第４の角部１ｈに固定される構成について説明する。
以下で、実施の形態３について図面を参照して説明する。なお、実施の形態１又は実施の形態２で説明した構成と同様の機能を有する構成については同一の符号を付し、その説明を省略する。
【００６０】
図７は、実施の形態３に係る液晶モジュール固定構造１０２の構成を示す平面図である。なお、図７では、説明のため、シャーシ２を除いた液晶モジュール固定構造１０２を示す。図７が示すように、液晶モジュール固定構造１０２は、液晶モジュール１の裏面１ａとシャーシ２の対向面２ａとの間に設置される補強部材３０を備えている。
【００６１】
補強部材３０は、全体形状が棒状であり、液晶モジュール１の裏面１ａにおける第３の角部１ｆは、補強部材３０の一方の端部に固定され、液晶モジュール１の裏面１ａにおける第２の中間部分１ｊは、補強部材１２の他方の端部に固定されている。
また、液晶モジュール１の裏面１ａにおける第４の角部１ｈは、シャーシ２の対向面２ａの部分である３つの対向部分のうち、第４の角部１ｈに対向する第３の対向部分に固定されている。
【００６２】
なお、上記では、補強部材３０の一方の端部が第３の角部１ｆに固定される構成を説明したが、補強部材３０の一方の端部は、第４の角部１ｈに固定されてもよい。その場合、第３の角部１ｆは、シャーシ２の対向面２ａの部分である３つの対向部分のうち、第３の角部１ｆに対向する第３の対向部分に固定される。
【００６３】
また、シャーシ固定点の配置及び補強固定点の配置の関係に関し、シャーシ２の対向面２ａにおける第１の対向部分と第２の対向部分と第３の対向部分とを結んだ三角形領域Ｊと、補強部材３０の一方の端部と他方の端部とを結ぶ直線とは、液晶モジュール１の裏面１ａに垂直な方向からみて部分的に重なる。
【００６４】
実施の形態３において、より具体的には、第１の角部１ｂと第１の対向部分とのシャーシ固定点であるシャーシ固定点Ａ、第２の角部１ｄと第２の対向部分とのシャーシ固定点であるシャーシ固定点Ｂ、及び第４の角部１ｈと第３の対向部分とのシャーシ固定点であるシャーシ固定点Ｉを結んだ三角形領域Ｊと、第３の角部１ｆと補強部材３の一方の端部との補強固定点である補強固定点Ｅ、第２の中間部分１ｊと補強部材３の他方の端部との補強固定点である補強固定点Ｆを結んだ直線Ｋとは、液晶モジュール１の裏面１ａに垂直な方向からみて部分的に重なる。
【００６５】
なお、上記では、補強部材１２の他方の端部が、液晶モジュール１の裏面１ａにおける第２の中間部分１ｊに固定されている構成であり、且つ、三角形領域Ｊと直線Ｋとが液晶モジュール１の裏面１ａに垂直な方向からみて部分的に重なる構成を説明した。しかし、三角形領域Ｊと直線Ｋとが液晶モジュール１の裏面１ａに垂直な方向からみて部分的に重なる範囲において、補強部材１２の他方の端部は任意の位置において、液晶モジュール１の裏面１ａに固定されてもよい。
【００６６】
以上のように、実施の形態３に係る液晶モジュール固定構造１０２の補強部材３０は、全体形状が棒状であり、第３の角部１ｆ又は第４の角部１ｈの何れか一方は、補強部材３０の一方の端部に固定され、第３の角部１ｆ又は第４の角部１ｈの他方は、３つの対向部分のうち、第４の角部１ｈに対向する第３の対向部分に固定されている。
【００６７】
上記の構成において、液晶モジュール１の裏面１ａにおける第３の角部１ｆ又は第４の角部１ｈの何れか一方は補強部材３０に固定される。これにより、実施の形態３に係る液晶モジュール固定構造１０２は、シャーシ２に固定されていない第３の角部１ｆ又は第４の角部１ｈの何れか一方において、押下又は振動による液晶モジュール１の歪みを抑制することができる。また、補強部材３と比較して、補強部材３０は単純な構造のため、コストを削減することができる。
【００６８】
また、実施の形態３に係る液晶モジュール固定構造１０２は、第１の対向部分と第２の対向部分と第３の対向部分とを結んだ三角形領域Ｊと、補強部材３０の一方の端部と他方の端部とを結ぶ直線Ｋとは、液晶モジュール１の裏面１ａに垂直な方向からみて部分的に重なる。
【００６９】
上記の構成によれば、三角形領域Ｊと直線Ｋとが重なった部分が補強されるため、押下又は振動による液晶モジュール１の歪みを抑制することができる。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７０】
この発明に係る液晶モジュール固定構造は、表示装置に利用可能である。
【符号の説明】
【００７１】
１  液晶モジュール、１ａ  裏面、１ｂ  第１の角部、１ｃ  第１の辺部、１ｄ  第２の角部、１ｅ  第２の辺部、１ｆ  第３の角部、１ｇ  第３の辺部、１ｈ  第４の角部、１ｉ  第１の中間部分、１ｊ  第２の中間部分、２  シャーシ、２ａ  対向面、３  補強部材、３ａ  第１の棒状部分、３ｂ  第２の棒状部分、３ｃ  第３の棒状部分、３ｄ  第１の接続部、３ｅ  第２の接続部、３ｆ  第３の接続部、４  突出部、５  ネジ、６  突出部、７  ネジ、１０  シャーシ、１０ａ  対向面、１１  突出部、１２  補強部材、１３  突出部、２０  補強部材、３０  補強部材、１００  液晶モジュール固定構造、１０１  液晶モジュール固定構造、１０２  液晶モジュール固定構造。
【図１】
0006949279.tif 000002
【図２】
0006949279.tif 000003
【図３】
0006949279.tif 000004
【図４】
0006949279.tif 000005
【図５】
0006949279.tif 000006
【図６】
0006949279.tif 000007
【図７】
0006949279.tif 000008